(57)【要約】【課題】新たに部材を設けることなく特別領域への重複入賞を防止し得る入賞装置を備えた遊技機を提供する。【解決手段】入賞空間１７に流入したパチンコ球Ｓを一時的に停留し得ると共に、停留したパチンコ球Ｓを特別領域１８または一般領域１９ｂに向けて放出し得る停留手段３２,３９,４１と、停留手段３２,３９,４１に停留したパチンコ球Ｓを、特別領域１８に向けて放出させる第１の動作、または一般領域１９ｂに向けて放出させる第２の動作を停留手段３２,３９,４１に行なわせる駆動機構および揺動機構とを設ける。そして、各ラウンド遊技の終了までにパチンコ球Ｓが特別領域１８に通入しない場合は停留手段３２,３９,４１に第１の動作を行なわせ、各ラウンド遊技の終了までにパチンコ球Ｓが特別領域１８に通入した場合は停留手段３２,３９,４１に第２の動作を行なわせるようにした。【選択図】図１
2005131269.tif 000002
【特許請求の範囲】
【請求項１】
遊技球が通過し得る球入口と、前記球入口に連通し、該球入口を介して遊技球が流入する入賞空間と、前記球入口を開閉可能で、少なくとも遊技者に有利な特別遊技の発生時に該球入口を開放する開閉部材と、前記入賞空間内に設けられ、該入賞空間に流入した遊技球の通入を許容する特別領域および一般領域とを備えた入賞装置からなり、前記特別遊技は所定回数のラウンド遊技から構成されて、各ラウンド遊技中に前記入賞空間に流入した遊技球が、前記特別領域に通入した場合に、次のラウンド遊技に移行して特別遊技が継続するよう設定された遊技機において、
前記入賞装置は、
前記入賞空間に流入した遊技球を一時的に停留し得ると共に、停留した遊技球を前記特別領域または一般領域に向けて放出し得る停留手段と、
前記停留手段に停留した遊技球を、前記特別領域に向けて放出させる第１の動作、または前記一般領域に向けて放出させる第２の動作を該停留手段に行なわせる駆動手段とを有し、
前記駆動手段は、前記各ラウンド遊技の終了までに遊技球が前記特別領域に通入しない場合は前記停留手段に前記第１の動作を行なわせ、前記各ラウンド遊技の終了までに遊技球が前記特別領域に通入した場合は前記停留手段に前記第２の動作を行なわせるよう構成した
ことを特徴とする遊技機。
【請求項２】
前記停留手段は、前記駆動手段により水平方向に回転し得るよう構成されて、該停留手段に停留した遊技球の放出方向が前記特別領域に向く第１位置、および前記一般領域に向く第２位置に、当該停留手段を変位し得るようになっている請求項１記載の遊技機。
【請求項３】
前記特別領域を、前記入賞空間の前方位置に設け、前記一般領域を、該入賞空間の少なくとも後方位置に設けるようにした請求項１または２記載の遊技機。
【発明の詳細な説明】
【技術分野】
【０００１】
本発明は、遊技機の入賞装置に関し、更に詳細には、特別遊技を所定回数のラウンド遊技で構成して、各ラウンド遊技中に入賞空間に流入した遊技球が特別領域に通入することで次のラウンド遊技に移行させて、該特別遊技が継続するよう設定されている遊技機に関するものである。
【背景技術】
【０００２】
例えば、所謂羽根モノと称される第２種パチンコ機は、パチンコ球(遊技球)が通入する入賞口(球入口)を所定条件で開閉する羽根状や扉状等の開閉部材と、種々の遊技部品が配置され、該入賞口から流入するパチンコ球に多彩な動きをさせる入賞空間と、該入賞空間に流入したパチンコ球が最終的に通出する一般領域および特別領域とを備えた入賞装置を有している。すなわち、前記入賞空間に流入したパチンコ球は、前記一般領域または特別領域の何れかを介して入賞装置の外部に排出されるようになっている。
【０００３】
そして、前記入賞空間に流入したパチンコ球が特別領域に通入すると、前記開閉部材が開閉動作を繰返して遊技者が多数のパチンコ球を得られる、所謂大当り(特別遊技)が発生するよう構成されている。なお、前記大当りは、一般に所定回数のラウンド遊技から構成され、特別遊技継続条件が成立することを条件に、ラウンド遊技が順次移行し、特別遊技が継続するようになっている。ここで、前記入賞空間への１０個のパチンコ球の通入、または前記開閉部材の１８回の開閉が満たされることを１回のラウンド遊技が終了するラウンド遊技終了条件として設定されると共に、ラウンド遊技中あるいはラウンド遊技終了条件が成立してから所定の設定時間(所謂有効時間)が経過するまでに前記特別領域にパチンコ球が通入することを、次のラウンド遊技に移行させる特別遊技継続条件として設定され、最大で１５回までラウンド遊技を行なって大当りを継続し得るようになっている。
【０００４】
また、前記入賞装置には、所要数のパチンコ球を一時的に停留可能で、停留の解除に伴い停留したパチンコ球を前記特別領域に向けて放出して、特別領域をパチンコ球が通出し得るよう構成した停留部材が配設されている。なお、前記各ラウンド遊技中には、前記ラウンド遊技終了条件の成立後に停留部材の停留を解除して、パチンコ球を前記特別領域に向けて放出するようになっている。すなわち、前記各ラウンド遊技は、通常は、前記入賞空間への１０個のパチンコ球の通入か、前記開閉部材の１８回の開閉により前記ラウンド遊技終了条件が成立した後に、前記停留部材に停留したパチンコ球が前記特別領域に通入して前記特別遊技継続条件が成立し、次のラウンド遊技に移行することになる。
【０００５】
ところで、前記各ラウンド遊技中に、前記停留部材に停留したパチンコ球とは別のパチンコ球が前記特別領域に通入する、所謂イレギュラー入賞が生ずる場合もある。ここで、イレギュラー入賞が生じた場合にも前述した特別遊技継続条件が成立することになるが、前記停留部材にパチンコ球が停留されている場合に、このパチンコ球を次のラウンド遊技に持ち越すことはできないため、前記ラウンド遊技終了条件が成立した場合と同様に、前記停留部材の停留を解除して停留したパチンコ球を放出する。すなわち、前記イレギュラー入賞が生じた際に前記停留部材にパチンコ球が停留されていた場合には、該パチンコ球も前記特別領域に通入し、１回のラウンド遊技で２個のパチンコ球が特別領域に通入する、所謂重複入賞が発生することになる。この重複入賞が発生すると、遊技者は、余分にラウンド遊技が進行してしまうのではないかという不安を抱いたり、混乱を与えてしまうことにもなるため、遊技に対する興趣を損なう畏れがある。また、前記第２種パチンコ機では、遊技の賭博性を少なくするため、入賞空間に流入したパチンコ球が前記特別領域に通入する確率が制限されており、一般には「入賞空間に流入したパチンコ球が特別領域に通入する確率を概ね１／１０とする」ことが求められる。このため、前記特別領域への重複入賞は、極力低減する必要がある。
【０００６】
そこで、前記特別領域への重複入賞を防止する技術として、特別領域を開閉可能な球止板を前記入賞装置に設け、前記各ラウンド遊技中にイレギュラー入賞が発生した際に、該球止板により特別領域を閉成し、停留部材に停留したパチンコ球が特別領域に通入して重複入賞が生じないよう構成されたものが提案されている(例えば、特許文献１参照)。
【特許文献１】特開２０００−２１７９７６号公報
【発明の開示】
【発明が解決しようとする課題】
【０００７】
ところで、前記入賞装置は、できる限り大きな前記入賞空間が確保されると共に、可動部材や該可動部材用の駆動手段が多数配置され、該入賞空間内でのパチンコ球の動きを変化させて遊技の興趣を増大するよう構成されている。このため、前記入賞装置に、前記球止板やその駆動手段を配設すると、前記入賞空間を狭くする必要が生じたり、演出用の可動部材が小さくなって演出効果の低下に繋がる欠点が指摘される。また、新たに球止板やその駆動手段を配設して重複入賞を防止する構成では、部品点数が増加してコストが嵩む問題もある。
そこで、本発明は、新たに部材を設けることなく特別領域への重複入賞を防止し得る入賞装置を備えた遊技機を提供することを目的とする。
【課題を解決するための手段】
【０００８】
前記課題を克服し、所期の目的を達成するため、本発明に係る遊技機は、
遊技球(S)が通過し得る球入口(15)と、前記球入口(15)に連通し、該球入口(15)を介して遊技球(S)が流入する入賞空間(17)と、前記球入口(15)を開閉可能で、少なくとも遊技者に有利な特別遊技の発生時に該球入口(15)を開放する開閉部材(16)と、前記入賞空間(17)内に設けられ、該入賞空間(17)に流入した遊技球(S)の通入を許容する特別領域(18)および一般領域(19b)とを備えた入賞装置(M)からなり、前記特別遊技は所定回数のラウンド遊技から構成されて、各ラウンド遊技中に前記入賞空間(17)に流入した遊技球(S)が、前記特別領域(18)に通入した場合に、次のラウンド遊技に移行して特別遊技が継続するよう設定された遊技機において、
前記入賞装置(M)は、
前記入賞空間(17)に流入した遊技球(S)を一時的に停留し得ると共に、停留した遊技球(S)を前記特別領域(18)または一般領域(19b)に向けて放出し得る停留手段(39,41)と、
前記停留手段(39,41)に停留した遊技球(S)を、前記特別領域(18)に向けて放出させる第１の動作、または前記一般領域(19b)に向けて放出させる第２の動作を該停留手段(39,41)に行なわせる駆動手段(35,44)とを有し、
前記駆動手段(35,44)は、前記各ラウンド遊技の終了までに遊技球(S)が前記特別領域(18)に通入しない場合は前記停留手段(39,41)に前記第１の動作を行なわせ、前記各ラウンド遊技の終了までに遊技球(S)が前記特別領域(18)に通入した場合は前記停留手段(39,41)に前記第２の動作を行なわせるよう構成したことを特徴とする。
【０００９】
また、前記停留手段(39,41)を、前記駆動手段(35)により水平方向に回転し得るよう構成して、該停留手段(39,41)に停留した遊技球(S)の放出方向が前記特別領域(18)に向く第１位置、および前記一般領域(19b)に向く第２位置に、当該停留手段(39,41)を変位し得るようにしてもよい。
【００１０】
更に、前記特別領域(18)を、前記入賞空間(17)の前方位置に設け、前記一般領域(19b)を、該入賞空間(17)の少なくとも後方位置に設けることもできる。
【発明の効果】
【００１１】
本発明の請求項１に係る遊技機は、特別遊技の各ラウンド遊技において、遊技球が特別領域に通入(イレギュラー入賞が発生)したときには、停留した遊技球を一般領域に向けて放出する第２の動作を停留手段に行なわせるようにしたから、該特別領域への重複入賞を確実に防止することができる。従って、重複入賞が発生して遊技者が混乱等することはなく、遊技の興趣を低下させることはない。一方、各ラウンド遊技において、遊技球が特別領域に通入しないときには、停留した遊技球を特別領域に向けて放出する第１の動作を停留手段に行なわせるようにしたから、次のラウンド遊技に移行させて特別遊技を継続させることが可能となる。
【００１２】
また、請求項２に係る遊技機は、停留手段を回転させることにより、停留した遊技球の放出方向が特別領域を向く第１位置と、停留した遊技球の放出方向が一般領域を向く第２位置とを選択し得るようにしたから、イレギュラー入賞が発生した場合に、重複入賞を確実に防止し得る。更に、請求項３に係る遊技機は、入賞空間の前方位置に特別領域を設けると共に、該入賞空間の少なくとも後方位置に一般領域を設けることで、イレギュラー入賞が発生して停留手段に第２の動作をさせた際に遊技球が特別領域に通入するのを防止して、確実に重複入賞の発生を阻止し得る。そして、一般領域を入賞空間の後方位置に設けたことで、停留手段に行なわせる第２の動作を遊技者側から見え難くし得る。
【発明を実施するための最良の形態】
【００１３】
次に、本発明に係る遊技機につき、好適な実施例を挙げて、添付図面を参照して以下に説明する。なお、実施例１および実施例２では、遊技機として開閉部材が電気的に開閉してパチンコ球(遊技球)が内部に通入する第２種パチンコ機(以下単にパチンコ機と云う)に実施される場合について説明する。
【実施例１】
【００１４】
(パチンコ機の遊技盤について)
先ず、図２に略示されるパチンコ機の遊技盤Ｊについて要約説明すると、該遊技盤Ｊでは、その前面に取着された略円形状に湾曲形成した案内レール１０により囲まれた遊技領域Ｉにおいて、その略中央部に入賞装置Ｍが配置される。また入賞装置Ｍより下側の遊技領域Ｉにおける左右方向の略中央位置には、第１始動入賞具Ｎ１が配設されると共に、該第１始動入賞具Ｎ１の左右両側に離間して第２始動入賞具Ｎ２,Ｎ２が夫々配設されている。各始動入賞具Ｎ１,Ｎ２は、入賞装置Ｍに対する所定の始動条件を成立させるものであって、通常遊技状態において、第１始動入賞具Ｎ１は、その内部に配設されたスイッチ(図示せず)でパチンコ球(遊技球)Ｓの入賞を検出することにより、入賞装置Ｍの後述する開閉部材１６,１６を２回開閉動させ、また第２始動入賞具Ｎ２は、その内部に配設された図示しないスイッチがパチンコ球Ｓの入賞を検出することにより、開閉部材１６,１６を１回開閉動させるよう設定されている。なお、遊技領域Ｉの適宜位置には、風車とも称されてパチンコ球Ｓの流下方向を変更する案内車１１や、遊技状態に応じて照射パターンが変更制御される電飾装置１２等が配設される。
【００１５】
(入賞装置の本体について)
前記入賞装置Ｍは、図１または図３に示すように、本体１３の外周部に設けたフランジ状の基枠体１４を介して遊技盤Ｊに装着セットするようになっている。この本体１３は、パチンコ球Ｓの通入出経路を形成すると共に各種部材を装着するために、その全体が複合組立式の筺型化されたものであって、適宜デザイン形状に形成される。前記本体１３の上部左右位置には、パチンコ球Ｓ用の入賞口(球入口)１５,１５が形成されると共に、該入賞口１５,１５を開閉してパチンコ球Ｓを２方向から本体１３内に入賞可能にする左右一組の開閉部材１６,１６が配設されている。そして、前記本体１３の内部における前記開閉部材１６,１６の下方位置には、前方に開口すると共に所要の奥行きを有する入賞空間１７が、前記入賞口１５,１５に連通するよう画成され、前記入賞口１５,１５に通入したパチンコ球Ｓは該入賞空間１７に流入するよう構成してある。
【００１６】
前記本体１３における入賞空間１７の下側前方位置には、前記入賞空間１７に流入したパチンコ球Ｓの通入を許容すると共に、前記遊技盤Ｊの裏側に通出させる特別領域１８と第１の一般領域１９ａ,１９ａとが夫々設けられている。特別領域１８は、左右方向の略中央の定位置において上方に開口して１つ設けられ、また第１の一般領域１９ａ,１９ａは、特別領域１８を挟む左右両側において上方に開口して夫々設けられる。そして、図１または図５に示すように、前記本体１３における入賞空間１７の左下側後方位置には、前記入賞空間１７に流入したパチンコ球Ｓを、遊技盤Ｊの裏側に通出させる第２の一般領域１９ｂを形成してある。また、前記特別領域１８には、パチンコ球Ｓの通過を検出する特別遊技球検出センサ１８ａ(図１参照)が配設されている。なお、特別領域１８の開口幅(入口幅)は、パチンコ球Ｓの略１個分に設定してある。
【００１７】
(開閉部材について)
前記両開閉部材１６,１６は、図４に示す如く、左右対称な構造、形状に成形された内外方向への傾動形態とされて、前記本体１３の裏側に配設されたソレノイド２０を駆動源とする作動機構２１により開閉動作するよう構成される。すなわち、開閉部材１６,１６は、前記入賞口１５,１５を閉鎖する起立対向位置が通常の閉鎖状態とされ、その上端が外向きに傾倒して入賞口１５,１５を開放した位置が開放状態とされて、前記作動機構２１により両開閉部材１６,１６を閉鎖状態と開放状態とに同時に傾動変化して入賞口１５,１５を開閉するようになっている。従って、各開閉部材１６の夫々が開放状態にある場合に、前記遊技領域Ｉを流下するパチンコ球Ｓが、前記入賞口１５,１５を介して本体１３の内部(入賞空間１７)へ流入可能となる。
【００１８】
図４に示すように、前記本体１３における前記両開閉部材１６,１６の間には、略中央位置が上方に突出する球受け台２２が形成されると共に、該球受け台２２における左右両端部には、前記入賞空間１７に連通する案内出口２３,２３が開設されている。すなわち、前記開閉部材１６,１６が開放状態に傾動した際に、前記入賞口１５,１５に通入したパチンコ球Ｓは、直接または球受け台２２を転動した後に、前記案内出口２３,２３の何れか一方から前記入賞空間１７に流入する。なお、各案内出口２３には、パチンコ球Ｓの通過を検出する球検出センサ２３ａ(図４参照)が配設されており、該球検出センサが入賞空間１７へのパチンコ球Ｓの通入を検出すると、所定数(例えば１０球)の賞球が払い出されるようになっている。
【００１９】
(入賞空間について)
前記入賞空間１７は、図３に示すように、前方に開口する略矩形箱状に形成されて前記本体１３の大部分を占有するよう構成されると共に、該空間１７の上下方向における上側に偏った位置(下から略２／３の位置)に形成された仕切板２４により、上部入賞空間１７ａと下部入賞空間１７ｂとに仕切られている。なお、前記仕切板２４は、前記案内出口２３,２３の下方に臨む位置において、入賞空間１７の前側略半分を上下に遮蔽する寸法に設定され、案内出口２３,２３から入賞空間１７に流入するパチンコ球Ｓは、先ず上部入賞空間１７ａ内に通入して仕切板２４上に落下し、該仕切板２４を転動して下部入賞空間１７ｂに案内されるようになっている。また図４に示す如く、仕切板２４の左右両側には、上部入賞空間１７ａに通入したパチンコ球Ｓを、下部入賞空間１７ｂの左右両側に向けて通出させる第１通路２４ａ,２４ａが設けられると共に、左右方向の略中央には、上部入賞空間１７ａに通入したパチンコ球Ｓを、下部入賞空間１７ｂの左右方向の略中央後方に向けて通出させる第２通路２４ｂが後方に向けて下方傾斜するよう設けられている。
【００２０】
図１または図５に示すように、前記下部入賞空間１７ｂ(入賞空間１７)の底面には、後述するステージ部材３２が、前記特別領域１８と第２の一般領域１９ｂとの間に形成されている。すなわち、前記ステージ部材３２の前方位置に前記特別領域１８が設けられ、該ステージ部材３２の後方位置に前記第２の一般領域１９ｂが設けられている。また、前記下部入賞空間１７ｂ(入賞空間１７)の底面における前記凹部２５より前側は、前方へ向けて下方傾斜する第１傾斜面２６ａが形成されると共に、該凹部２５より後側は、後方へ向けて下方傾斜する第２傾斜面２６ｂが形成されている。なお、前記本体１３の前側下部には、前記第１傾斜面２６ａの前端縁から所要間隔離間した位置に前板１３ａが取着されており、該前板１３ａと第１傾斜面２６ａの前端縁との間に、前記特別領域１８および第１の一般領域１９ａ,１９ａの夫々が上方に向けて開口するよう設けてある。また、前記第２傾斜面２６ｂの後端縁側には、左方に向けて下方傾斜する第３傾斜面２６ｃが形成されており、該第３傾斜面２６ｃの傾斜下端部側に前記第２の一般領域１９ｂが上方に向け開口するよう設けられている。すなわち、前記下部入賞空間１７ｂ内に流入したパチンコ球Ｓは、前記第１傾斜面２６ａに沿って前記特別領域１８および第１の一般領域１９ａ,１９ａに向けて転動するか、前記第２および第３傾斜面２６ｂ,２６ｃに沿って前記第２の一般領域１９ｂに向けて転動するようになっている。
【００２１】
前記第１傾斜面２６ａの前端部における左右方向の略中央位置には、前記特別領域１８に対して前後に整列して略球１個分の幅寸法で離間して案内片２７,２７が立設されている。そして、この案内片２７,２７は、後述するステージ部材３２に設けられている第１の停留部材３９、第２の停留部材４１または案内部材４２から放出されるパチンコ球Ｓの特別領域１８への確実な通入を行なわせると共に、第１傾斜面２６ａを転動するパチンコ球Ｓの特別領域１８への通入を規制するべく機能する。
【００２２】
(振分け部材について)
前記上部入賞空間１７ａには、前記仕切板２４の第２通路２４ｂを挟む左右両側に、図示しない作動機構により左右に揺動可能な振分け部材２８が夫々配設される。この一対の振分け部材２８,２８は、前記案内出口２３,２３から落下するパチンコ球Ｓを前記第１通路２４ａ,２４ａに向けて案内する第１状態(図３に実線で示す)と、該パチンコ球Ｓを前記第２通路２４ｂに向けて案内する第２状態(図３に２点鎖線で示す)とに変化して、上部入賞空間１７ａに通入したパチンコ球Ｓを、第１通路２４ａ,２４ａまたは第２通路２４ｂに振分け得るよう構成されている。より詳しくは、前記振分け部材２８,２８が第１状態にある場合には、該振分け部材２８,２８が互いに内側(第２通路２４ｂ側)を向くように傾動して、パチンコ球Ｓが第２通路２４ｂに流入するのを規制し、振分け部材２８,２８が第２状態にある場合には、振分け部材２８,２８が互いに外側(第１通路２４ａ,２４ａ側)を向くように傾動し、パチンコ球Ｓが第１通路２４ａ,２４ａに流入するのを規制するようになっている。
【００２３】
(ステージ部材について)
前記下部入賞空間１７ｂ(入賞空間１７)には、複数(実施例１では３つ)のステージ２９,３０,３１を有するステージ部材３２が、前記特別領域１８より後方において水平回転可能に配設されている。すなわち、このステージ部材３２は、前記下部入賞空間１７ｂの底面に設けられた前記凹部２５内に回転可能に収容された円盤状本体３３の上面に、周方向に１２０°の間隔で３枚の画壁３４,３４,３４が放射状に立設され、これら３枚の画壁３４,３４,３４の間に第１〜第３ステージ２９,３０,３１が夫々設けられている。そして、後述する駆動機構(駆動手段)３５によりステージ部材３２を回転して、何れか１つのステージ２９,３０,３１を入賞装置Ｍの前面側に入替可能に出現させるよう構成される。すなわち、前記ステージ部材３２は、第１ステージ２９が前記入賞装置Ｍの前面側に出現する第１停止位置、第２ステージ３０が入賞装置Ｍの前面側に出現する第２停止位置および第３ステージ３１が入賞装置Ｍの前面側に出現する第３停止位置で停止して遊技を行なうよう構成される。
【００２４】
なお、ステージ部材３２を前記第１〜第３停止位置で停止したときには、入賞装置Ｍの前面側に出現しているステージ２９,３０,３１を画成している２枚の画壁３４,３４により下部入賞空間１７ｂは前後に仕切られ、後側に位置している他のステージ２９,３０,３１が前側(遊技者)からは見えないよう構成してある(図８,図１０参照)。また、前記仕切板２４の第１通路２４ａ,２４ａや第２通路２４ｂを介して下部入賞空間１７ｂに通入したパチンコ球Ｓは、入賞装置Ｍの前面側に出現しているステージ２９,３０,３１を画成している２枚の画壁３４,３４よりも前側に導かれるようになっており、該画壁３４,３４によりステージ部材３２(下部入賞空間１７ｂ)の後側にパチンコ球Ｓが移動するのを規制するようになっている。
【００２５】
(駆動機構について)
前記ステージ部材３２を回転駆動する駆動機構３５は、図４または図６に示す如く、前記入賞装置Ｍの本体１３における上部に倒立姿勢で配設された正逆回転可能なモータ３６と、該モータ３６に連結されて一体的に回転する係合継手３７と、前記ステージ部材３２の回転中心において前記画壁３４から上方に突出するよう設けられて、前記係合継手３７に対して係脱可能に係合する被係合継手３８とから構成される。そして、モータ３６を正逆回転することで、両継手３７,３８を介してステージ部材３２が正逆方向に回転するようになっている。なお、モータ３６は、図示しない制御手段により駆動制御されることで、ステージ部材３２を前記第１〜第３停止位置で正確に停止させ得るよう構成してある。
【００２６】
(第１ステージについて)
前記ステージ部材３２に設けた前記第１ステージ２９には、図６、図８および図９に示す如く、例えばドラキュラの棺桶を模した第１の停留部材３９が、前記円盤状本体３３に対して上下方向に揺動可能に配設されている。この第１の停留部材３９は、上方および円盤状本体３３の径方向外方(前記ステージ部材３２を第１停止位置で停止した状態での前方)に開放するよう形成され、その内部に画成される停留領域には複数(実施例１では３個)のパチンコ球Ｓを一時的に停留可能に構成される。また停留領域の略中央には、１個のパチンコ球Ｓを一時的に停留可能で、停留を解除することにより前記特別領域１８に向けてパチンコ球Ｓを放出可能な停留部３９ａが形成されている。実施例１では、左右方向に離間して２つの突片４０,４０が停留領域に立設され、両突片４０,４０の間に前記停留部３９ａを形成してある。また、第１の停留部材３９へのパチンコ球Ｓの受入口(停留領域の幅寸法)３９ｂは、３個のパチンコ球Ｓを直線的に並べて受入れ可能な広さに設定され、停留領域(停留部３９ａ)にパチンコ球Ｓを停留し易く構成されている。すなわち、前記第１の停留部材３９は、前記停留部３９ａの左右両隣にも各１個のパチンコ球を停留し得るようになっており、これにより第１の停留部材３９は合計で３個のパチンコ球Ｓを停留できるようになっている。
【００２７】
前記第１の停留部材３９は、後述する揺動機構(駆動手段)４４を介して上向き状態と下向き状態との間を揺動し得るよう構成され、その上向き状態では前記停留領域にパチンコ球Ｓを停留可能とし得ると共に、下向き状態では停留しているパチンコ球Ｓを外方に放出し得るよう構成される。すなわち、前記揺動機構４４により前記第１の停留部材３９を上向き状態から下向き状態に変位させることでパチンコ球Ｓの停留が解除される。ここで、前記ステージ部材３２を前記第１停止位置で停止したときには、上向き状態の第１の停留部材３９における停留領域(停留部３９ａ)が、前記仕切板２４の第２通路２４ｂから放出されるパチンコ球Ｓを受入れ可能な位置に臨むと共に、該停留部３９ａからのパチンコ球Ｓの放出方向と前記特別領域１８とが同一線上になるよう設定されている。更に、第１の停留部材３９と特別領域１８とは、前記停留部３９ａから放出されたパチンコ球Ｓが特別領域１８に直接的に投入され得る関係に設定してある。
【００２８】
ここで、前述のように、前記ステージ部材３２は、前記駆動機構３５により回転されて、前記第１の停留部材３９の停留部３９ａに停留したパチンコ球Ｓの放出方向が前記特別領域１８を向く第１位置(すなわち第１停止位置)と、パチンコ球Ｓの放出方向が前記第２の一般領域１９ｂを向く第２位置(すなわち第２または第３停止位置)とに変位可能である。すなわち、前記ステージ部材３２を第１位置で停止し、前記第１の停留部材３９を上向き状態から下向き状態に変位する第１の動作を行なうことにより、停留したパチンコ球Ｓを前記特別領域１８に向けて放出し得ると共に、前記駆動機構３５によりステージ部材３２を回転して前記第２位置に変位し、かつ第１の停留部材３９を上向き状態から下向き状態に変位する第２の動作を行なうことにより、停留したパチンコ球Ｓを前記第２の一般領域１９ｂに向けて放出し得るよう構成されている。従って、前記第２の動作を行なった際には、前記第１の停留部材３９の停留部３９ａに停留したパチンコ球Ｓは、前記下部入賞空間１７ｂ(入賞空間１７)の後方に向けて放出されて、前記第２の一般領域１９ｂを通出する。なお、実施例１では、前記第１の動作により前記停留部３９ａから放出されたパチンコ球Ｓは、前記第１傾斜面２６ａの前端部に立設された前記案内片２７,２７の間に落下し、両案内片２７,２７により特別領域１８に略確実に通入されるよう構成される。
【００２９】
また、前記第１停止位置(第１位置)において前記第１の停留部材３９によるパチンコ球Ｓの停留を解除した際に、前記停留部３９ａから放出されたパチンコ球Ｓが前記特別領域１８を通入する確率(以下、送入率と云う)は略１００％に設定されている。すなわち、前記第１の停留部材３９の停留部３９ａに停留されたパチンコ球Ｓは、略確実に前記特別領域１８を通出するよう構成される。
【００３０】
(第２ステージについて)
前記ステージ部材３２に設けた前記第２ステージ３０には、図６、図１０および図１１に示す如く、例えばサメの頭部を模した第２の停留部材４１が、前記円盤状本体３３に対して上下方向に揺動可能に配設されている。この第２の停留部材４１は、サメの口に対応して円盤状本体３３の径方向外方(前記ステージ部材３２を第２停止位置で停止した状態での前方)に開放して、１個のパチンコ球Ｓを一時的に停留可能な凹形状の停留部(停留領域)４１ａが形成され、停留を解除することにより停留部４１ａに停留されているパチンコ球Ｓを前記特別領域１８に向けて放出可能に構成される。なお、第２の停留部材４１へのパチンコ球Ｓの受入口(停留領域の幅寸法)４１ｂは、１個のパチンコ球Ｓを受入れ可能な広さに設定され、前記第１の停留部材３９に比してパチンコ球Ｓが停留され難く構成してある。すなわち、前記第２の停留部材４１へのパチンコ球Ｓの停留率は、前記第１の停留部材３９へのパチンコ球Ｓの停留率より低く設定されており、第１の停留部材３９と第２の停留部材４１との間において、パチンコ球Ｓが停留し易い・難いという差別化が図られている。なお、停留率とは、第２通路２４ｂから放出されたパチンコ球Ｓが停留部３９ａ,４１ａに停留される割合であり、該停留率が高いほどパチンコ球Ｓが停留部３９ａ,４１ａに停留され易く、低いほど停留され難いことを示す。
【００３１】
前記第２の停留部材４１は、後述する揺動機構４４を介して上向き状態と下向き状態との間を揺動し得るよう構成され、その上向き状態では前記停留部４１ａにパチンコ球Ｓを停留し得ると共に、下向き状態では停留しているパチンコ球Ｓを外方に放出し得るよう構成される。すなわち、前記揺動機構４４により前記第２の停留部材４１を上向き状態から下向き状態に変位させることでパチンコ球Ｓの停留が解除される。ここで、前記ステージ部材３２を前記第２停止位置で停止したときには、上向き状態の第２の停留部材４１における停留部４１ａが、前記仕切板２４の第２通路２４ｂから放出されるパチンコ球Ｓを受入れ可能な位置に臨むと共に、該停留部４１ａからのパチンコ球Ｓの放出方向と前記特別領域１８とが同一線上になるよう設定されている。更に、第２の停留部材４１と特別領域１８とは、前記停留部４１ａから放出されたパチンコ球Ｓが特別領域１８に直接的に投入され得る関係に設定してある。
【００３２】
ここで、前述のように、前記ステージ部材３２は、前記駆動機構３５により回転されて、前記第２の停留部材４１の停留部４１ａに停留したパチンコ球Ｓの放出方向が前記特別領域１８を向く第１位置(すなわち第２停止位置)と、パチンコ球Ｓの放出方向が前記第２の一般領域１９ｂを向く第２位置(すなわち第１または第３停止位置)とに変位可能である。すなわち、前記ステージ部材３２を第１位置で停止し、前記第２の停留部材４１を上向き状態から下向き状態に変位する第１の動作を行なうことにより、停留したパチンコ球Ｓを前記特別領域１８に向けて放出し得ると共に、前記駆動機構３５によりステージ部材３２を回転して前記第２位置に変位し、かつ第２の停留部材４１を上向き状態から下向き状態に変位する第２の動作を行なうことにより、停留したパチンコ球Ｓを前記第２の一般領域１９ｂに向けて放出し得るよう構成されている。従って、前記第２の動作を行なった際には、前記第２の停留部材４１の停留部４１ａに停留したパチンコ球Ｓは、前記下部入賞空間１７ｂ(入賞空間１７)の後方に向けて放出されて、前記第２の一般領域１９ｂを通出する。
【００３３】
また、前記第２停止位置(第１位置)において前記第２の停留部材４１によるパチンコ球Ｓの停留を解除した際に、前記停留部４１ａから放出されたパチンコ球Ｓが前記特別領域１８を通入する確率(以下、送入率と云う)は略１００％に設定されている。すなわち、前記第２の停留部材４１の停留部４１ａに停留されたパチンコ球Ｓは、略確実に前記特別領域１８を通出するよう構成される。
【００３４】
(第３ステージについて)
前記ステージ部材３２に設けた前記第３ステージ３１には、図５または図７に示す如く、例えばワニの頭部を模した案内部材４２が、その口先を前記円盤状本体３３の径方向外方に向けた姿勢で、該円盤状本体３３に対して上下方向に揺動可能に配設されている。この案内部材４２は、下アゴ部４２ａと上アゴ部４２ｂとからなり、該案内部材４２は後述する揺動機構４４により上下方向に揺動するよう構成され、この揺動時には、下アゴ部４２ａに対して上アゴ部４２ｂが開閉するよう構成される。なお、下アゴ部４２ａに対して上アゴ部４２ｂが開放したときには、下アゴ部４２ａが、円盤状本体３３の径方向外方(前記ステージ部材３２を第３停止位置で停止した状態での前方)に向かうにつれて下方傾斜するよう傾動する。
【００３５】
前記案内部材４２には、パチンコ球Ｓの通過を許容する通路４２ｃが、上下のアゴ部４２ａ,４２ｂ内において円盤状本体３３の径方向に延在するよう形成されると共に、上アゴ部４２ｂにおける径方向内部側には、上下方向に貫通し、パチンコ球Ｓの通過を許容する通口４２ｄが形成されている。そして、この案内部材４２は、第３ステージ３１が入賞装置Ｍの前面側の第３停止位置に停止したときに、前記通口４２ｄが、前記仕切板２４の第２通路２４ｂから放出されるパチンコ球Ｓを受入れ可能な位置に臨むと共に、前記通路４２ｃからのパチンコ球Ｓの放出方向と前記特別領域１８とが同一線上になるよう設定されている。なお、実施例１の案内部材４２は、上下のアゴ部４２ａ,４２ｂが開放および閉成の何れの状態においても、前記通口４２ｄから通入したパチンコ球Ｓを、通路４２ｃを介して外方に放出し得るよう構成してある。すなわち、前記案内部材４２は、パチンコ球Ｓを一時的に停留し得る停留部は設けられておらず、該案内部材４２にパチンコ球Ｓを停留しないようになっている。
【００３６】
(揺動機構について)
前記ステージ部材３２の下方に臨む前記本体１３には、図７に示すように、本体裏側に配設されたモータ４３を駆動源とする揺動機構４４が配設されており、該揺動機構４４が、ステージ部材３２の回転を許容する状態で、前記各ステージ２９,３０,３１に配設された第１および第２の停留部材３９,４１と案内部材４２に連繋されている。そして、揺動機構４４を駆動することで、両停留部材３９,４１および案内部材４２が同期的に上下方向に揺動するよう構成される。なお、前記モータ４３には、スリット円盤と光電センサ等からなる位置検出手段４５が配設され、該位置検出手段４５からの信号に基づいて、図示しない制御手段によりモータ４３が回転制御されて、前記第１および第２の停留部材３９,４１を上向き状態または下向き状態に保持し得ると共に、前記案内部材４２を開放状態または閉成状態に保持し得るようにしてある。
【００３７】
このように、実施例１においては、前記ステージ部材３２と第１および第２の停留部材３９,４１からパチンコ球を一時的に停留し得ると共に、停留した遊技球を前記特別領域１８または第２の一般領域１９ｂに向けて放出し得る停留手段が構成される。すなわち、前記第１および第２の停留部材３９,４１を上向き状態に変位して停留部３９ａ,４１ａにパチンコ球Ｓを停留したもとで前記ステージ部材３２を回転することにより、該第１および第２の停留部材３９,４１に停留したパチンコ球Ｓの放出方向を変更し得るようになっている。
【００３８】
(開閉部材、振分け部材およびステージ部材の動作態様について)
前記開閉部材１６,１６、振分け部材２８,２８およびステージ部材３２の動作態様につき簡単に説明する。通常遊技状態において、前記開閉部材１６,１６の夫々は、前記閉鎖状態に位置すると共に、前記振分け部材２８,２８は第１状態で停止している。また前記ステージ部材３２は、前記第２ステージ３０が入賞装置Ｍの前面側に位置する前記第２停止位置で停止すると共に、前記第２の停留部材４１は下向き状態に保持されるようになっている。なお、前記第１の停留部材３９も下向き状態とされると共に、前記案内部材４２においては上下のアゴ部４２ａ,４２ｂが閉成状態に保持される。
【００３９】
前記第１または第２始動入賞具Ｎ１,Ｎ２にパチンコ球Ｓが通入すると、前記開閉部材１６,１６の夫々は、パチンコ球Ｓが通入した始動入賞具Ｎ１,Ｎ２に応じて前記閉鎖状態から開放状態に１回または２回開閉する。また前記振分け部材２８,２８の夫々も、パチンコ球Ｓが通入した始動入賞具Ｎ１,Ｎ２に応じた態様で第１状態から第２状態への揺動を行ない、前記入賞口１５,１５に通入したパチンコ球Ｓを左右(第１通路２４ａ,２４ａ)または中央後方(第２通路２４ｂ)に振分け得るよう設定される。更に、前記ステージ部材３２においては、第２の停留部材４１を上向き状態としたもとで、第２ステージ３０が後側に隠れない所定角度範囲でステージ部材３２を左右に揺動する動作を行なった後、第２の停留部材４１を下向き状態に戻すよう構成される。
【００４０】
ここで、前記第１または第２始動入賞具Ｎ１,Ｎ２へのパチンコ球Ｓの入賞に基づく前記開閉部材１６,１６の開放状態中に、パチンコ球Ｓが前記入賞装置Ｍに入賞すると共に、該パチンコ球Ｓが前記特別領域１８に通入して前記特別遊技球検出センサ１８ａにより検出されると、遊技者に有利な大当り(特別遊技)が発生する。前記大当りは、所定回数(例えば１５回)のラウンド遊技から構成され、大当り継続条件が成立することを条件に、ラウンド遊技が順次移行して大当りが継続するようになっている。すなわち、前記入賞空間１７への１０個のパチンコ球Ｓの通入または前記開閉部材１６,１６の１８回の開閉の何れかが満たされることを１回のラウンド遊技が終了するラウンド遊技終了条件として設定されると共に、ラウンド遊技中あるいはラウンド遊技終了条件が成立してから所定の設定時間(所謂有効時間、図１２または図１３参照)が経過するまでの間に前記特別領域１８にパチンコ球Ｓが通入することを大当り継続条件として設定され、最大で１５回までラウンド遊技を行なって大当りを継続し得るようになっている。なお、前記通常遊技状態とは、特別遊技(大当り)状態以外の遊技状態のことをいう。
【００４１】
次に、大当り時における開閉部材１６,１６、振分け部材２８,２８およびステージ部材３２の動作態様につき説明する。前記大当りが発生すると、所定時間の経過後(インターバル後)に１回目のラウンド遊技が開始して、前記開閉部材１６,１６が前記ラウンド遊技終了条件を満たすまで開閉動作を繰返すようになっている。また、大当りが成立すると、前記制御手段はステージ部材３２における何れのステージ２９,３０,３１を入賞装置Ｍの前面側に出現させて遊技を行なうかを決定し、前記インターバル時にステージ部材３２を１回転以上回転して該ステージ部材３２を前記第１〜第３停止位置の何れかの停止位置で停止し、決定された特定のステージ２９,３０,３１を入賞装置Ｍの前面側に出現させる。このように、前記各ラウンド遊技の初めには、前記ステージ部材３２を回転するインターバル演出が行なわれる。
【００４２】
前記第１ステージ２９に決定された場合は、前記第１の停留部材３９は上向き状態に保持されると共に、ステージ部材３２はラウンド遊技終了条件を満たすまで前記第１の停止位置で停止保持される(図１２参照)。また第２ステージ３０に決定された場合は、前記第２の停留部材４１は上向き状態に保持されると共に、所定の条件(例えば入賞口１５に１個目のパチンコ球Ｓが通入したこと)が満たされてからラウンド遊技終了条件を満たすまでの間、ステージ部材３２が前記第２の停止位置を中心として所定角度範囲で左右に揺動する(図１３参照)。なお、第３ステージ３１に決定された場合は、ラウンド遊技終了条件を満たすまでステージ部材３２が前記第３の停止位置を中心として所定角度範囲で左右に揺動すると共に、前記案内部材４２は、所定の条件(例えば入賞口１５に５個目のパチンコ球Ｓが通入したこと)が満たされるまで上下のアゴ部材４２ａ,４２ｂを閉成状態に保持し、それ以降はラウンド遊技終了条件を満たすまで開閉動作を繰返すように設定される。
【００４３】
また、図１２または図１３に示すように、各ラウンド遊技に際して前記第１ステージ２９または第２ステージ３０が前記入賞装置Ｍの前面側に位置する場合には、前記入賞空間１７に１０個のパチンコ球Ｓが通入するか、前記開閉部材１６,１６が１８回開閉して前記ラウンド遊技終了条件が成立するとエンディング演出が行なわれる。このエンディング演出では、前記第１ステージ２９に決定されていた場合は、前記有効時間内に、前記ステージ部材３２を第１位置(すなわち第１停止位置)で停止させたまま前記第１の停留部材３９を上向き状態から下向き状態に変位させて前記第１の動作を行ない(図１２参照)、前記第２ステージ３０に決定されていた場合は、該有効時間内に、前記ステージ部材３２を第１位置(すなわち第２停止位置)で停止して前記第２の停留部材４１を上向き状態から下向き状態に変位させて前記第１の動作を行なうようになっている(図１３参照)。
【００４４】
ここで、前記第１の停留部材３９または第２の停留部材４１が前記第１の動作を行なう際に、該停留部材３９,４１の停留部３９ａ,４１ａにパチンコ球Ｓが停留されていた場合には、該停留部３９ａ,４１ａから放出されたパチンコ球Ｓが、前記特別領域１８に通入して前記大当り継続条件が成立し、次のラウンド遊技に移行する。なお、次のラウンド遊技に移行すると、前述と同様にインターバル時に、前記制御手段により決定された特定のステージ２９,３０,３１を入賞装置Ｍの前面側に出現させて、前述と同様のラウンド遊技が行なわれる。そして、前記大当り継続条件の成立に伴い、最大１５回まで前記ラウンド遊技を行なって大当りを継続し得るようになっている。一方、前記第１の動作を行なう際に、前記第１または第２の停留部材３９,４１の停留部３９ａ,４１ａにパチンコ球Ｓが停留されていない場合には、該停留部３９ａ,４１ａからパチンコ球Ｓが放出されないため、前記大当り継続条件が成立することはなく、エンディング演出が終了する。ここで、エンディング演出の終了は、大当りの終了を意味し、該エンディング演出終了後には通常遊技状態に切り替わることとなる。
【００４５】
なお、前記第１の停留部材３９または第２の停留部材４１が前記第１の動作を行なった後は、前記有効時間が経過するまで前記ステージ部材３２および各停留部材３９,４１が停止するよう設定される。ここで、前記ステージ部材３２および各停留部材３９,４１が停止する時間としては、前記停留部３９ａ,４１ａから放出されたパチンコ球Ｓが前記特別領域１８まで到達する時間よりも長く設定され、放出されたパチンコ球Ｓが特別領域１８に通入する前に前記有効時間が経過しないようになっている。また、前記有効時間経過後は、少なくとも１回転してから前記ステージ部材３２を第２停止位置で停止させて第２ステージ３０を入賞装置Ｍの前面側に停止させた状態で、所定時間だけ各停留部材３９,４１および案内部材４２を揺動して前記エンディング演出が終了するよう設定されている。なお、前記制御装置により、前記第３ステージ３１が選択された場合には、前記案内部材４２に停留部を設けていないことから、当該ラウンド遊技中に前記特別領域１８にパチンコ球Ｓが通入した場合にのみ、次のラウンド遊技に移行するようになっている。
【００４６】
前記振分け部材２８,２８は、前記決定されたステージの種類に応じて異なる動作を行なうよう設定される。すなわち、第１ステージ２９に決定された場合は、前記開閉部材１６,１６が開閉動作を開始する(インターバル演出が終了する)と同時に振分け部材２８,２８が第１状態から第２状態に揺動し、ラウンド遊技終了条件を満たすまでこの第２状態に保持される(図１２参照)。これに対し第２ステージ３０に決定された場合は、前記ステージ部材３２が左右の揺動を開始するときに、前記第２の停留部材４１が第１状態から第２状態に揺動し、ラウンド遊技終了条件を満たすまでこの第２状態に保持される(図１３参照)。更に、第３ステージ３１に決定された場合は、前記開閉部材１６,１６が開閉動作を開始する(インターバル演出が終了する)と同時に振分け部材２８,２８は第１状態と第２状態との間の揺動を繰返し、所定の条件(例えば入賞口１５に９個目のパチンコ球Ｓが通入したこと)が満たされると、ラウンド遊技終了条件を満たすまで第２状態に保持されるよう設定されている。
【００４７】
次に、前記各ラウンド遊技中に、前記第１または第２の停留部材３９,４１に停留したパチンコ球Ｓとは別のパチンコ球Ｓが前記特別領域１８に通入する、イレギュラー入賞が発生した場合の前記ステージ部材３２の動作態様につき説明する。前記イレギュラー入賞が発生すると大当り継続終了条件が成立し、前記エンディング演出を行なうことなく次のラウンド遊技へ移行してインターバル演出が行なわれる。ここで、前記インターバル演出時には、前記ステージ部材３２を回転した際に、前記第１または第２の停留部材３９,４１を上向き状態から下向き状態に変位させて前記第２の動作を行なうよう設定してある。すなわち、前記イレギュラー入賞が発生した際には、前記第１または第２の停留部材３９,４１の停留部３９ａ,４１ａに停留したパチンコ球Ｓを前記入賞空間１７の後方位置に形成した前記第２の一般領域１９ｂに向けて放出するよう構成されている。なお、前記イレギュラー入賞が発生するパターンとしては、前記第２通路２４ｂから放出されたパチンコ球Ｓが第１または第２の停留部材３9,４１に当たって弾かれて、直接特別領域１８に入賞するパターンや、第１通路２４ａ,２４ａから放出されたパチンコ球Ｓが入賞装置Ｍの壁部等に当たって弾かれて直接特別領域１８に入賞するパターン等がある。
【００４８】
〔実施例１の作用〕
次に、実施例１に係るパチンコ機の作用につき説明する。前記遊技盤Ｊの盤面に打ち出され、前記遊技領域Ｉを流下するパチンコ球Ｓが、前記第１始動入賞具Ｎ１または第２始動入賞具Ｎ２に通入すると、前記開閉部材１６,１６が１回または２回開閉する。このとき、前記入賞口１５,１５から前記入賞装置Ｍの内部に通入したパチンコ球Ｓは、前記案内出口２３,２３を介して上部入賞空間１７ａに通入する。また前記振分け部材２８,２８が第１状態と第２状態との間を揺動し、上部入賞空間１７ａに通入したパチンコ球Ｓは、直接または仕切板２４を転動した後に、前記第１通路２４ａ,２４ａまたは第２通路２４ｂを介して下部入賞空間１７ｂに流入する。なお、前記振分け部材２８,２８が第１状態にある場合には、前記第１通路２４ａ,２４ａ側にパチンコ球が振分けられ、該振分け部材２８,２８が第２状態にある場合には、前記第２通路２４ｂ側にパチンコ球が振分けられる。
【００４９】
前記第１通路２４ａ,２４ａを介して下部入賞空間１７ｂの左右両側に流入したパチンコ球Ｓは、前記第１傾斜面２６ａに落下して前側に向けて転動し、前記第１の一般領域１９ａ,１９ａに通入する。なお、第１傾斜面２６ａを転動するパチンコ球Ｓは、前記案内片２７,２７に規制されて、前記特別領域１８に通入することは殆どない。
【００５０】
これに対して、前記第２通路２４ｂを介して下部入賞空間１７ｂの中央後方に流入したパチンコ球Ｓは、前記第２停止位置に停止している第２ステージ３０における第２の停留部材４１に向けて落下する。このパチンコ球Ｓの落下タイミングにおいて、第２の停留部材４１が上向き状態となっていれば、該停留部材４１の前記停留部４１ａにパチンコ球Ｓが入り、第２の停留部材４１が下向き状態となることで停留部４１ａから放出されるパチンコ球Ｓは、前記特別領域１８に通入し、大当りが発生する(図１０,図１１参照)。
【００５１】
前述したように、大当りが発生すると、前記制御手段ではステージ部材３２における何れのステージ２９,３０,３１を入賞装置Ｍの前面側に出現させるかを決定し、前記駆動機構３５を駆動制御してインターバル演出を行なった後に、該ステージ部材３２を回転して第１〜第３停止位置で停止して決定されたステージ２９,３０,３１を該入賞装置Ｍの前面側に出現させる。
【００５２】
(第１ステージに決定された場合)
前記第１ステージ２９を入賞装置Ｍの前面側に出現させる場合には、前記駆動機構３５を駆動して前記ステージ部材３２を前記第１停止位置で停止し、ラウンド遊技を開始する。また前記揺動機構４４が駆動されて、前記第１の停留部材３９は下向き状態から上向き状態に揺動され、この上向き状態に保持される。更に、前記振分け部材２８,２８は、第２状態に保持される。すなわち、前記入賞口１５,１５から上部入賞空間１７ａに通入したパチンコ球Ｓの多くは、振分け部材２８,２８を介して前記第２通路２４ｂに向けて振分けられ、下部入賞空間１７ｂの中央後方に流入することとなる。
【００５３】
このとき、前記ステージ部材３２が停止状態で、かつ第１の停留部材３９は上向き状態で保持されるから、前記第２通路２４ｂから落下するパチンコ球Ｓは、高い割合で第１の停留部材３９の停留領域(停留部３９ａ)に停留される(図８参照)。前述した如く、第１の停留部材３９における停留領域の受入口３９ｂは、３個のパチンコ球Ｓを受入れ可能な広さに設定されているから、第２通路２４ｂから落下するパチンコ球Ｓは、第１の停留部材３９に停留され易い。
【００５４】
そして、前記ラウンド遊技中に、前記入賞空間１７に１０個のパチンコ球Ｓが通入するか、前記開閉部材１６,１６が１８回開閉して前記ラウンド遊技終了条件が成立すると、前記ステージ部材３２を前記第１位置(すなわち第１停止位置)で停止させたまま、前記第１の停留部材３９を上向き状態から下向き状態に変位する前記第１の動作を行ない、図９に示す如く、該第１の停留部材３９の停留領域に停留されている３個のパチンコ球Ｓを夫々前方に向けて放出する。前述したように、前記ステージ部材３２を前記第１位置に停止した状態では、前記停留部３９ａに停留したパチンコ球Ｓの前記特別領域１８への送入率を略１００％に設定してあるから、該パチンコ球Ｓを前記特別領域１８に略確実に通入させ得る。このように、各ラウンド遊技中に、パチンコ球Ｓが特別領域１８に通入しないとき、すなわち前記イレギュラー入賞が発生しないときには、前記第１の停留部材３９の停留部３９ａに停留したパチンコ球Ｓを特別領域１８に向けて放出する第１の動作をステージ部材３２および第１の停留部材３９に行なわせることで、大当り継続条件を成立させて次のラウンド遊技に移行させ、大当りを継続することができる。
【００５５】
また、前記入賞空間１７に１０個のパチンコ球Ｓが通入するか、前記開閉部材１６,１６が１８回開閉する前に、前記特別領域１８にパチンコ球Ｓが通入してイレギュラー入賞が発生した場合には、前記第１の停留部材３９の停留部３９ａにパチンコ球Ｓを停留させたまま前記ステージ部材３２を回転して、該停留部３９ａに停留したパチンコ球Ｓの放出方向が前記第２の一般領域１９ｂを向く前記第２位置に変位し、更に該第１の停留部材３９を上向き状態から下向き状態に変位する前記第２の動作が行なわれる。このように、イレギュラー入賞が発生した際にステージ部材３２および第１の停留部材３９により第２の動作を行なわせ、前記第１の停留部材３９の停留部３９ａに停留したパチンコ球Ｓを前記入賞空間１７の後方位置に形成した前記第２の一般領域１９ｂに向けて放出するようにしたから、この停留部３９ａに停留したパチンコ球Ｓが特別領域１８に通入して重複入賞が生ずることはない。すなわち、前記重複入賞が生じて見かけ上大当り継続条件が２回成立することで、遊技者に対し、余分にラウンド遊技が進行してしまうのではないかという不安を抱かせたり、混乱させることはないから、遊技の興趣を低下させることはない。このように、イレギュラー入賞が発生しても重複入賞が生じないため、イレギュラー入賞が頻繁に起こるようにすることもでき、この場合にはイレギュラー入賞が起こることで、遊技に対して意外性を与えることができ、遊技の興趣を向上させ得る。また、重複入賞を防止することで余分な特別領域１８へのパチンコ球Ｓの通入を減らすことができ、この種のパチンコ機Ｐに求められる「入賞空間に流入したパチンコ球が特別領域に通入する確率を概ね１／１０とする」と云う規定を満たすことも可能となる。
【００５６】
そして、前述のように、前記駆動機構３５により前記ステージ部材３２を回転して、停留したパチンコ球Ｓの放出方向が前記特別領域１８を向く第１位置から停留したパチンコ球Ｓの放出方向が前記第２の一般領域１９ｂを向く第２位置に変位するよう構成したことで、この停留されたパチンコ球Ｓが前記特別領域１８に入賞するのは確実に防止し得る。なお、イレギュラー入賞が発生した際に、前記入賞空間１７の前方に位置する前記特別領域１８から大きく離間する前記第２の一般領域１９ｂに向けてパチンコ球Ｓを放出するようにしたから、このパチンコ球Ｓが誤って前記特別領域１８に通入するのは防止でき、確実に重複入賞の発生を阻止し得る。なお、前記第２の一般領域１９ｂを入賞空間１７の後方位置に設けることで、前記第１の停留部材３９が前記第２の一般領域１９ｂに向けてパチンコ球Ｓを放出する動作を遊技者側から見え難くし得るから、遊技の興趣が削がれることはない。
【００５７】
このように、遊技演出を行なう前記ステージ部材３２を回転し、かつ第１の停留部材３９を揺動して、前記特別領域１８への重複入賞を防止する前記第２の動作を行なうようにしたから、重複入賞を防止するための部材を新たに設ける必要がなく、部品点数が増加してコストが嵩んだり、入賞装置Ｍの組み付け作業が煩雑になるのは防止される。また、重複入賞を防止するためだけの部材や、この部材に対する駆動手段を配置するスペースを確保する必要がないから、前記入賞装置Ｍにできる限り大きな入賞空間１７を形成することが可能となって、遊技演出の多様化を図り得る。
【００５８】
更に、前記入賞空間１７の後方に前記第２の一般領域１９ｂを設けたことで、前記ステージ部材３２の回転時に誤ってパチンコ球Ｓがステージ部材３２の後方に入り込んだ場合でも、第２の一般領域１９ｂを介してパチンコ球Ｓを入賞装置Ｍの外部に排出させることができる。従って、前記ステージ部材３２を回転した際に、入賞空間１７の後方(奥側)に入り込んだパチンコ球Ｓが出現することはないから、遊技者に不信感を与えて遊技の興趣が低減されることはない。なお、前記入賞空間１７の後方側に、前記第２の一般領域１９ｂへ向けて下方傾斜する第２傾斜面２６ｂおよび第３傾斜面２６ｃを形成したから、前記第２の動作時に放出したパチンコ球Ｓや、入賞空間１７の後方に入り込んだパチンコ球Ｓを速やかに入賞装置Ｍの外部に排出できる。
【００５９】
(第２ステージに決定された場合)
前記第２ステージ３０を入賞装置Ｍの前面側に出現させる場合には、前記駆動機構３５を駆動して前記ステージ部材３２を前記第２停止位置で停止し、ラウンド遊技を開始する。また前記揺動機構４４が駆動されて、前記第２の停留部材４１は下向き状態から上向き状態に揺動され、この上向き状態に保持される。更に、前記振分け部材２８,２８は、前記入賞口１５,１５に１個目のパチンコ球Ｓが通入した後に、第１状態から第２状態に揺動して保持される。すなわち、前記入賞口１５,１５から上部入賞空間１７ａに通入する２個目以後のパチンコ球Ｓの多くは、振分け部材２８,２８を介して前記第２通路２４ｂに向けて振分けられ、下部入賞空間１７ｂの中央後方に流入する。
【００６０】
前記第２ステージ３０では、前記第２の停留部材４１が上向き状態で、前記入賞口１５,１５に１個目のパチンコ球Ｓが通入した後は前記ステージ部材３２(第２の停留部材４１)が左右に揺動しているから、前記第２通路２４ｂから落下するパチンコ球Ｓの該停留部材４１における停留部４１ａへの停留され易さは、前記第１の停留部材３９の場合より低くなる(すなわち、停留され難くなる)。しかも、第２の停留部材４１における停留部４１ａへの受入口４１ｂは、１個のパチンコ球Ｓを受入れ可能な広さしかなく、第１の停留部材３９との関係で、パチンコ球Ｓが停留され易い・難いと云う差別化が図られる。
【００６１】
そして、前記ラウンド遊技中に、前記入賞空間１７に１０個のパチンコ球Ｓが通入するか、前記開閉部材１６,１６が１８回開閉して前記ラウンド遊技終了条件が成立して、前記ステージ部材３２を前記第１位置(すなわち第２停止位置)で停止し、前記第２の停留部材４１を上向き状態から下向き状態に変位する前記第１の動作を行ない、図１０に示すように該第２の停留部材４１の停留部４１ａに停留されているパチンコ球Ｓを前記特別領域１８に向けて放出する(図１１参照)。前述したように、前記ステージ部材３２を前記第１位置に停止した状態では、前記第２の停留部材４１の停留部４１ａに停留したパチンコ球Ｓの前記特別領域１８への送入率を略１００％に設定されてあるから、該パチンコ球Ｓを特別領域１８に確実に通入させ得る。このように、各ラウンド遊技中に、パチンコ球Ｓが特別領域１８に通入しないとき、すなわち前記イレギュラー入賞が発生しないときに、前記第２の停留部材４１の停留部４１ａに停留したパチンコ球Ｓを特別領域１８に向けて放出する第１の動作をステージ部材３２および第２の停留部材４１に行なわせるようにしたことで、大当り継続条件を成立させて次のラウンド遊技に移行させ、大当りを継続させ得る。但し、第２の停留部材４１に対するパチンコ球Ｓの停留し易さ(停留率)は、第１の停留部材３９に対するパチンコ球Ｓの停留し易さ(停留率)よりは低いため、全体として第２ステージ３０が入賞装置Ｍの前面側に出現した状態での特別領域１８への入賞率は、第１ステージ２９が入賞装置Ｍの前面側に出現した状態での特別領域１８への入賞率より相対的に低くなる。
【００６２】
また、前記入賞空間１７に１０個のパチンコ球Ｓが通入するか、前記開閉部材１６,１６が１８回開閉する前に、前記特別領域１８にパチンコ球Ｓが通入してイレギュラー入賞が発生した場合には、前記第２の停留部材４１の停留部４１ａにパチンコ球Ｓを停留させたまま前記ステージ部材３２を回転して該停留部４１ａに停留したパチンコ球Ｓの放出方向が前記第２の一般領域１９ｂを向く前記第２位置に変位し、更に第２の停留部材４１を上向き状態から下向き状態に変位して第２の動作が行なわれる。このように、イレギュラー入賞が発生した際にステージ部材３２および第２の停留部材４１により第２の動作を行ない、該第２の停留部材４１の停留部４１ａに停留したパチンコ球Ｓを前記入賞空間１７の後方位置に形成した前記第２の一般領域１９ｂに向けて放出するようにしたから、この停留部４１ａに停留したパチンコ球Ｓが特別領域１８に通入して重複入賞が生ずることはない。
【００６３】
すなわち、前述した第１ステージ２９を入賞装置Ｍの前面側に出現させた場合と同様に、前記重複入賞が生ずることで、遊技者に対して不安を抱かせたり、混乱させることはないから、遊技の興趣を低下させることはなく、更には、この種のパチンコ機Ｐに求められる「入賞空間に流入したパチンコ球が特別領域に通入する確率を概ね１／１０とする」と云う規定を満たすことも可能となる。また、前述と同様に、前記駆動機構３５により前記ステージ部材３２を回転させることで、イレギュラー入賞が発生した際に、パチンコ球Ｓが前記特別領域１８に通入するのは防止でき、確実に重複入賞の発生を阻止し得る。更に、重複入賞を防止するための部材を新たに設ける必要がないから、部品点数が増加してコストが嵩んだり、入賞装置Ｍの組み付け作業が煩雑になるのは防止し得ると共に、重複入賞を防止するためだけの部材に要するスペースを確保する必要がないから、前記入賞装置Ｍにできる限り大きな入賞空間１７を形成することが可能となって、遊技演出の多様化を図り得る。
【００６４】
なお、第２ステージ３０を入賞装置Ｍの前面側に出現させた場合であっても、前記第２の一般領域１９ｂを入賞空間１７の後方位置に設けたことで、前記第２の一般領域１９ｂに向けてパチンコ球Ｓを放出する動作は遊技者側から見え難くし得ると共に、入賞空間１７の後方に誤って入り込んだパチンコ球Ｓを、速やかに入賞装置Ｍの外部に排出し得る。このため、前記ステージ部材３２を回転した際に、前記入賞空間１７の後方(奥側)に入り込んだパチンコ球Ｓが出現することはないから、遊技者に不信感を与えて遊技の興趣が低減することはない。
【００６５】
(第３ステージに決定された場合)
前記制御手段で第３ステージ３１を入賞装置Ｍの前面側に出現させる場合には、前記駆動機構３５が駆動されて前記ステージ部材３２が回転してステージ部材３２を前記第３停止位置で停止し、ラウンド遊技を開始する。そして、前記入賞空間１７に１０個のパチンコ球Ｓが通入するか、前記開閉部材１６,１６が１８回開閉する前に、前記特別領域１８にパチンコ球が通入すると、前記大当り継続条件が成立して次のラウンド遊技に移行させ、大当りを継続することができる。ここで、前記案内部材４２には、パチンコ球Ｓを一時的に停留し得る停留部を形成していないから、パチンコ球Ｓが前記特別領域１８に通入して重複入賞が発生する畏れはない。
【００６６】
このように、複数のステージ２９,３０,３１を前面側に入替可能に停止し得るよう構成したステージ部材３２を入賞装置Ｍに配設し、停留部材３９,４１が配設された第１ステージ２９と第２ステージ３０および案内部材４２が配設された第３ステージ３１との間で、前記特別領域１８へのパチンコ球Ｓの入賞率を異ならせるようにしたから、遊技が画一化することなく面白みが増す。しかも、前記ステージ部材３２と停留部３９ａ,４１ａを備えた第１の停留部材３９および第２の停留部材４１とを利用して第２の動作を行なわせるようにしたことで、前記特別領域１８へのパチンコ球Ｓの重複入賞は生じないから、遊技者に不信感を与えることもない。
【００６７】
〔実施例１の変更例〕
なお、実施例１に係る遊技機の構成としては、前述したものに限定されるものでなく、その他の構成を適宜に採用することができる。例えば、実施例１では、停留部材を有する２つのステージおよび案内部材を有する１つのステージを備えたステージ部材を採用したが、ステージ部材に設けられるステージの数は、実施例１のように３つに限定されるものでなく、１つや２つあるいは４つ以上の複数であってもよい。また、停留手段の形状や構成等は、実施例１のものに限らず、遊技球を一時的に停留し得ると共に所要に応じて該パチンコ球を放出し得る形状および構成であれば任意に変更可能である。なお、開閉部材の動作形式としては、実施例１の揺動形式に限らず、スライド形式であってもよい。すなわち、本体の基枠体に設けた左右の球受け用のスライド部材が、対向閉鎖状態と両外側への離隔開放状態とに移動変化されて入賞口を開閉する構成を採用し得る。そして、開閉部材、振分け部材、ステージ部材および停留部材や案内部材の可動条件は、実施例で説明したものに限られるものではなく、適宜に変更可能である。
【００６８】
更に、イレギュラー入賞が生じた際に、前記ステージ部材を回転して入賞空間の後方位置に形成した第２の一般領域に向けて遊技球を放出して重複入賞を防止するようにしたが、特別領域の左右両側部に位置する第１の一般領域に向けて遊技球を放出するよう構成することも可能である。この場合は、実施例１における第２の一般領域を形成する必要はない。また実施例１の停留手段では、ステージ部材を回転して第１位置に変位し、かつ停留部材を上下方向に揺動する第１の動作を行なわせ、該停留手段を回転して第２位置に変位し、かつ停留部材を上下方向に揺動する第２の動作を行なわせるようにしたが、停留手段に、遊技球を停留し得る状態(実施例では上向き状態)から該遊技球を特別領域に向けて放出する第１の動作と、遊技球を停留し得る状態(実施例では上向き状態)から遊技球を一般領域に向けて放出する第２の動作とを行なわせるようにすればよい。更に実施例では、停留手段が遊技球を停留し得る位置(実施例では第１および第２停止位置)と、停留した遊技球を特別領域に向けて放出する位置とを同一の位置に設定したが、この遊技球の停留位置と放出位置とを変位させるようにしてもよい。
【００６９】
なお、実施例１では、遊技機として第２種パチンコ機を採用したが、一般的な第１種パチンコ機を採用することも可能である。すなわち、遊技盤の下方位置に配設されて、図柄表示装置で展開される遊技演出の結果により発生する特別遊技(大当り)に際して開放する入賞装置にも、本発明を好適に採用し得る。ここで、第１種パチンコ機における入賞装置は、遊技球が通過し得る球入口(所謂、大入賞口)と、該球入口に連通して球入口を介して遊技球が流入する入賞空間と、球入口を開閉可能な開閉板(開閉部材)と、入賞空間内に設けられて遊技球が通入する特別領域および一般領域を備えている。すなわち、前記入賞空間内に遊技球を一時的に停留し得ると共に、停留した遊技球を特別領域または一般領域に向けて放出し得る停留手段を配設し、該停留手段に、各ラウンド遊技の終了までに遊技球が特別領域に通入しない場合には停留した遊技球を特別領域に向けて放出する第１の動作を行なわせる一方、各ラウンド遊技の終了までに遊技球が特別領域に通入した場合には停留した遊技球を一般領域に向けて放出する第２の動作を行なわせるようにすればよい。
【００７０】
なお、第１種パチンコ機は、前記入賞空間(特別領域または一般領域)への所定数(例えば１０個)の遊技球の通入、開閉板が開放してから所定時間(例えば、およそ３０秒)の経過の何れかが満たされることを１回のラウンド遊技が終了するラウンド遊技終了条件として設定されると共に、ラウンド遊技中に遊技球が特別領域に通入することを特別遊技継続条件として設定され、最大で１５回までラウンド遊技を行なって特別遊技を継続し得るようになっている。
【実施例２】
【００７１】
次に、実施例２に係るパチンコ機について説明する。また、実施例２に係るパチンコ機の遊技盤の構成は、前述した実施例１に係るパチンコ機の遊技盤の構成と基本的に同一であるので、同一の部材については同一の符号を付して詳細な説明は省略する。なお、実施例２における停留手段は、後述する主可動部材(可動部材)と停留部材とから構成される。
【００７２】
(入賞装置の本体について)
実施例２に係る入賞装置は、図１４〜図１９に例示する本体５１を介して遊技盤Ｊに装着セットされる。前記入賞装置５０の本体５１は、パチンコ球Ｓの通入出経路を形成すると共に各種部材を装着するために、その全体が複合組立式の筺型化されたものであって、適宜デザイン形状に形成されて遊技盤Ｊの前面に取着される基枠体５２の上部左右に、遊技球用の入賞口(球入口)５３,５３が形成されると共に、該入賞口５３,５３を開閉可能に変化してパチンコ球Ｓを２方向から本体５１内に入賞可能にする左右一組の開閉部材５４,５４が配設されている。なお、前記開閉部材５４,５４は、本体５１の裏側に配設された第１ソレノイド５５を駆動源とする第１駆動機構５６により開閉動作するようになっている。
【００７３】
(案内通路について)
前記本体５１における前記開閉部材５４,５４の間には、略中央位置が上方に突出する球受け台５７が形成されると共に、前記各入賞口５３から入ったパチンコ球Ｓを先ず球受け台５７で受けた後、該球受け台５７に連絡された左右の案内通路５８,５８の何れかに通入するよう構成される(図１４または図１５参照)。そして、各案内通路５８の最下流端、すなわち案内出口５８ａが、本体５１の内部に画成されて所要の奥行き幅を有する入賞空間５９に対して、奥側の左右何れかの側に連通しており、案内通路５８を通過したパチンコ球Ｓを、入賞空間５９の奥側において幅方向の中央に向けて通出させるようにしている。
【００７４】
(特別領域および一般領域について)
前記入賞空間５９における前記案内出口５８ａ,５８ａが設けられる位置より前側(入賞空間５９の前側)には、幅方向の略中央に特別領域６０が設けられて、該特別領域６０に特別遊技球検出センサ６０ａ(図１９参照)が配設されている。また、図１４または図１９に示すように、前記特別領域６０の後方および左右両側を囲繞するように一般領域６１が設けられており、前記案内出口５８ａから入賞空間５９に流入したパチンコ球Ｓは、一般領域６１を越えたものが特別領域６０に通入する。なお、以下において、便宜的に前記特別領域６０の左右両側に位置する前記一般領域６１を第１の一般領域６１ａとし、該特別領域６０より後側に位置する一般領域６１を第２の一般領域６１ｂとして説明する。
【００７５】
(段部について)
前記第２の一般領域６１ｂより後側の入賞空間５９には、図１４に示すように、段部６２が設けられる。この段部６２は、第１および第２の一般領域６１ａ,６１ｂに対して所定高さで立ち上がる前面壁６３および該前面壁６３の上側で前記案内出口５８ａから放出されたパチンコ球Ｓを前面壁６３側へ転動案内する転動面６４を有する。この転動面６４は、その全体が前面壁６３側に向けて下方傾斜すると共に、後側の後転動面６４ａと前側の前転動面６４ｂとに分かれている。また、前記両案内出口５８ａ,５８ａは後転動面６４ａの左右側部に開放しており、各案内出口５８ａから通出するパチンコ球Ｓは先ず後転動面６４ａ上に受けられるよう構成される(図１９参照)。また、後転動面６４ａにおける幅方向の中央には、後述する主可動部材６６の通路６８に連通する開口６５(図１４,図１６〜図１９参照)が上下に貫通するよう形成されて、該後転動面６４ａは、該開口６５に向かうにつれて下方傾斜している。
【００７６】
(可動部材について)
前記段部６２の前面壁６３には、左右の幅方向に離間して複数(実施例２では３つ)に前後に貫通する出入口６３ａ,６３ａ,６３ａが形成され、各出入口６３ａに第２駆動機構(駆動手段)６９により前後方向に往復移動される２種類の可動部材６６,６７が配設されている。図１４に示す如く、前記転動面６４(後転動面６４ａ)の開口６５および前記特別領域６０と前後に整列し、かつ中央に位置する前記出入口６３ａに、主可動部材(可動部材)６６が配設され、左右両側に位置する前記出入口６３ａ,６３ａに、従可動部材６７,６７が配設されている。ここで、前記主可動部材６６は上下のアゴ部６６ａ,６６ｂを備え、この上下のアゴ部６６ａ,６６ｂの間に、前後方向に延在して前方に開口する通路６８が形成されている。また、前記主可動部材６６の後部側には、前記開口６５と連通可能な通口６６ｃが形成されており、前記転動面６４の開口６５に入ったパチンコ球Ｓが該通口６６ｃを介して通路６８に通出するよう構成される。
【００７７】
また、前記第２駆動機構６９の駆動に伴い、前記主可動部材６６と従可動部材６７,６７とは、同期的に前後移動するよう構成され、主可動部材６６が前進する際には従可動部材６７,６７が後退し、逆に主可動部材６６が後退する際には従可動部材６７,６７が前進するようになっている。そして、前記主可動部材６６の前進時には、該主可動部材６６により前記第２の一般領域６１ｂの上部を覆うよう設定されている。
【００７８】
また、前記主可動部材６６が最も前方位置(第１位置)まで前進移動した際には、該主可動部材６６(通路６８)の前端部が前記特別領域６０に臨み、該通路６８から通出するパチンコ球Ｓを前記特別領域６０に案内し得るよう構成される。一方、前記主可動部材６６が最も後方位置(第２位置)まで後退移動した際には、該主可動部材６６(通路６８)の前端部が前記第２の一般領域６１ｂに開放し、該通路６８から通出するパチンコ球Ｓを前記第２の一般領域６１ｂに案内するようになっている。すなわち、前記主可動部材６６を前記第１位置と、前記第２位置とに変位することで、該主可動部材６６の通路６８を通出するパチンコ球Ｓを前記特別領域６０に通入させるか否かを選択し得るよう構成される。
【００７９】
(停留部材について)
図１６〜図１８に示すように、前記段部６２(転動面６４)に設けられた前記開口６５には、該開口６５の内部を上下に移動可能な停留部材７０が配設されている。この停留部材７０は、前記基枠体５２の裏側に配設された第２ソレノイド７１を駆動源とする第３駆動機構７２により上下動され、上方に位置して停留部７０ａにパチンコ球Ｓを一時的に停留可能な停留位置(図１６参照)と、下方に位置してパチンコ球Ｓの停留を解除する停留解除位置(図１７または図１８参照)に変位可能に構成される。すなわち、前記停留部材７０は、停留位置において停留部７０ａに停留保持したパチンコ球Ｓを、停留解除位置へ変位することで解放して前記開口６５を介して前記主可動部材６６の通路６８に通出させるようになっている。なお、前記停留解除位置では、停留部材７０が開口６５を覆うよう構成され、前記案内出口５８ａから通出されて前記後転動面６４ａを転動したパチンコ球Ｓの該開口６５への通入を阻止している。
【００８０】
(可動部材および停留部材の動作態様について)
前記可動部材６６,６７および停留部材７０の動作態様につき簡単に説明する。通常遊技状態において、前記開閉部材５４,５４が閉鎖状態に保持されて入賞口５３,５３を全閉している。また、前記停留部材７０は停留解除位置に保持されている。但し、前記第２駆動機構６９は駆動されて、前記主および従可動部材６６,６７が同期的に前後移動している。前記第１または第２始動入賞具Ｎ１,Ｎ２にパチンコ球Ｓが通入すると、前記開閉部材５４,５４の夫々は、パチンコ球Ｓが通入した始動入賞具Ｎ１,Ｎ２に応じて前記閉鎖状態から開放状態に１回または２回開閉する。なお、前記停留部材７０も、パチンコ球Ｓが通入した始動入賞具Ｎ１,Ｎ２に応じた態様で停留解除位置と停留位置との間を上下移動し、前記入賞口５３,５３に通入したパチンコ球Ｓを停留し得るよう設定されると共に、前記主および従可動部材６６,６７の夫々も同期的に前後移動している。
【００８１】
ここで、前記第１または第２始動入賞具Ｎ１,Ｎ２へのパチンコ球Ｓの入賞に基づく前記開閉部材５４,５４の開放状態中に、パチンコ球Ｓが前記入賞装置５０に入賞すると共に、該パチンコ球Ｓが前記特別領域６０に通入して前記特別遊技球検出センサ６０ａにより検出されると、遊技者に有利な大当り(特別遊技)が発生する。前記大当りは、前述した実施例１と同様に、所定回数(例えば１５回)のラウンド遊技から構成され、特別遊技継続条件が成立することを条件に、ラウンド遊技が順次移行して大当りが継続するようになっている。そして、前記入賞空間５９への１０個のパチンコ球の通入または前記開閉部材５４,５４の１８回の開閉の何れかが満たされることを１回のラウンド遊技が終了するラウンド遊技終了条件として設定されると共に、ラウンド遊技中あるいはラウンド遊技終了条件が成立してから所定の設定時間(所謂有効時間)が経過するまでの間に前記特別領域６０にパチンコ球Ｓが通入することを大当り継続条件として設定され、最大で１５回までラウンド遊技を行って大当りを継続し得るようになっている。
【００８２】
次に、大当り時における可動部材６６,６７および停留部材７０の動作態様につき説明する。大当りが発生すると、所定の時間経過後(インターバル後)に１回目のラウンド遊技が開始して、前記開閉部材５４,５４が前記ラウンド遊技終了条件を満たすまで開閉動作を繰返すようになっている。また、各ラウンド遊技中においては、前記第３駆動機構７２が駆動されて前記停留部材７０が上方に位置して(停留位置)、前記案内出口５８ａから入賞空間５９に通出され、前記後転動面６４ａを転動したパチンコ球Ｓの内の１球を、前記開口６５の上方において停留部材７０の停留部７０ａに一時的に停留し得るようになる(図１６参照)。なお、前述したラウンド遊技終了条件を満たすまでの間は、前記主および従可動部材６６,６７の夫々も同期的に前後移動するよう設定される。
【００８３】
ここで、前記ラウンド遊技中に、前記入賞空間５９に１０個のパチンコ球Ｓが通入するか、前記開閉部材５４,５４が１８回開閉して前記ラウンド遊技終了条件が成立した後、前記有効時間内に、前記第２駆動機構６９により前記主可動部材６６がパチンコ球Ｓを特別領域６０に向けて案内可能な前記第１位置で停止し、かつ前記停留部材７０が前記停留位置から停留解除位置に変位する第１の動作(図１７参照)が行なわれる。すなわち、前記停留部材７０の停留解除位置への変位に伴い放出されるパチンコ球Ｓは、前記転動面６４の開口６５および前記主可動部材６７の通路６８を介して特別領域１８に向けて案内され、該特別領域６０に略確実に通入する。従って、前述した大当り継続条件が成立されるから、次のラウンド遊技に移行して大当りを継続することができる。
【００８４】
次に、前記各ラウンド遊技中に、前記停留部材７０に停留したパチンコ球Ｓとは別のパチンコ球Ｓが前記特別領域６０に通入する、イレギュラー入賞が発生した場合の可動部材６６,６７および停留部材７０の動作態様につき説明する。前記イレギュラー入賞が発生して前記大当り継続条件が成立すると、前記第２駆動機構６９により前記主可動部材６６が前記第２の一般領域６１ｂに向けて案内可能な前記第２位置で停止し、かつ前記停留部材７０が前記停留位置から停留解除位置に変位する第２の動作(図１８参照)が行なわれる。すなわち、前記イレギュラー入賞が発生した際には、前記停留部材７０の停留解除位置への変位に伴い放出されるパチンコ球Ｓは、前記転動面６４の開口６５および前記主可動部材６６の通路６８を介して前記第２の一般領域６１ｂに通入して、重複入賞が生じないようになっている。
【００８５】
このように、前記主可動部材６６を、前記特別領域６０に向けてパチンコ球Ｓを案内可能な第１位置と、前記第２の一般領域６１ｂに向けてパチンコ球Ｓを案内可能な第２位置とに変位し得るよう構成したことで、前記イレギュラー入賞が発生した場合に、前記停留部材７０の停留部７０ａに停留したパチンコ球Ｓが特別領域６０に入賞して重複入賞が生ずるのは確実に防止でき、前述した実施例１と同様の作用・効果を得ることができる。また、前述した実施例１と同様に、重複入賞を防止するための部材を新たに設ける必要はないから、部品点数が増加してコストが嵩んだり、入賞装置５０の組み付け作業が煩雑になるのを防止し得ると共に、大きな入賞空間５９を形成して遊技演出の多様化も図り得る。
【００８６】
〔実施例２の変更例〕
なお、実施例２に係る遊技機の構成としては、前述したものに限定されるものでなく、その他の構成を適宜に採用することができる。例えば、実施例２では特別領域を囲繞するように一般領域を設けた場合で説明したが、特別領域の左右両側には一般領域を設けない構成も採用し得る。また、実施例２では、イレギュラー入賞が生じた際に、前記可動部材を後方移動させて第２の一般領域に遊技球を案内して重複入賞を防止するようにしたが、特別領域の左右両側部に位置する第１の一般領域に向けて遊技球を放出するよう構成することも可能である。すなわち、前記可動部材として、長尺な板部材に遊技球を案内する溝等の案内部を設けて左右方向に移動可能なレール部材を採用し、該案内部が前記特別領域に向けて延在する第１位置と、該案内部が前記一般領域に向けて延在する第２位置とに変位し得るようレール部材を揺動するよう構成しても、イレギュラー入賞が生じた際に、特別領域に遊技球が重複入賞するのは確実に防止できる。この場合には、特別領域の左右両側に一般領域を設ける一般的な構成も採用し得る。
【００８７】
また、前記停留部材の構成についても、実施例２のものに限られるものではなく、遊技球を一時的に停留可能で、かつ停留を解除した際に前記可動部材に向けて遊技球を放出し得る構成のものであれば、従来公知の各種停留部材を採用することが可能である。なお、開閉スライド形式の入賞装置も可能である。すなわち、本体の基枠体に設けた左右の球受け用のスライド部材が、対向閉鎖状態と両外側への離隔開放状態とに移動変化されて入賞口を開閉する構成を採用し得る。更に、停留部材や可動部材の可動条件は、実施例２で説明したものに限らず、適宜に変更可能である。
【００８８】
なお、実施例２では、遊技機として第２種パチンコ機を用いて説明したが、実施例１と同様に、遊技盤の下方位置に配設した図柄表示装置で展開される遊技演出の結果により特別遊技(大当り)を発生し、該特別遊技に際して入賞装置を開放するよう構成される一般的な第１種パチンコ機を採用することも可能である。すなわち、前記入賞装置の入賞空間に遊技球を一時的に停留可能な停留部材と、該停留部材が放出した遊技球を、特別領域に向けて案内可能な第１位置または一般領域に向けて案内可能な第２位置に変位可能な可動部材とを配設し、各ラウンド遊技の終了までに遊技球が特別領域に通入しない場合は可動部材を第１位置に変位して停留部材からの遊技球を特別領域に向けて案内し、各ラウンド遊技の終了までに遊技球が特別領域に通入した場合は可動部材を第２位置に変位して停留部材からの遊技球を一般領域に向けて案内し得るよう構成すればよい。
【００８９】
〔その他の変更例〕
前述したように、実施例１では、停留手段に第１の動作と第２の動作とを行なわせることで、特別領域への重複入賞が生じないよう構成し、実施例２では、可動部材を第１位置と第２位置とに変位することで、特別領域への重複入賞が生じないよう構成したが、その他の構成を採用することも可能である。例えば、入賞空間に流入した遊技球を一時的に停留し得ると共に、停留した遊技球を特別領域に向けて放出し得る停留部材を設けると共に、該特別領域を可動部材に形成し、この可動部材を、駆動手段により該停留部材から放出された遊技球が特別領域に通入し得る第１位置、または該一般領域に通入させる第２位置に変位するよう構成することでも、特別領域への重複入賞を確実に防止できる。この場合には、前記停留部材および可動部材が、本発明に係る停留手段として機能する。すなわち、前記停留部材が遊技球を放出する動作を行なうと共に可動部材が第１位置に変位して、該停留手段に停留した遊技球が特別領域に向けて放出(案内)される第１の動作と、停留部材が遊技球を放出する動作を行なうと共に可動部材が第２位置に変位して、当該停留手段に停留した遊技球が一般領域に向けて放出(案内)される第２の動作とを行ない得るよう構成される。
【００９０】
従って、特別遊技の各ラウンド遊技中に際しては、常には前記可動部材を前記第１位置に変位させることで、入賞空間に流入した遊技球および停留部材に停留した遊技球が前記特別領域に通入させ得る。一方、各ラウンド遊技の終了までに遊技球が該特別領域に通入した場合は、前記可動部材を前記第２位置に変位させることで、前記停留部材の停留を解除しても停留していた遊技球は特別領域に通入し得ないから、重複入賞が生ずることはない。すなわち、前述した実施例１および実施例２と同様に、重複入賞が発生して遊技者が混乱等するのは防止され、これら実施例１および２と同様の作用効果が得られる。更に、前述した実施例１および２と同様に、重複入賞を防止するための部材を新たに設けないので、部品点数が増加してコストが嵩んだり、入賞装置の組み付け作業が煩雑になるのを防止し得ると共に、大きな入賞空間を形成して遊技演出の多様化も図り得る。なお、このように、特別領域を設けた可動部材を第１位置と第２位置に変移させる構成であっても、前記実施例１および実施例２と同様に、一般的な第１種パチンコ機に採用することは可能である。
【００９１】
〔付記〕
本発明に係る遊技機に関しては、以下に示す具体的構成に限定することが可能である。
遊技球が通過し得る球入口と、前記球入口に連通し、該球入口を介して遊技球が流入する入賞空間と、前記球入口を開閉可能で、少なくとも遊技者に有利な特別遊技の発生時に該球入口を開放する開閉部材と、前記入賞空間内に設けられ、該入賞空間に流入した遊技球の通入を許容する特別領域および一般領域とを備えた入賞装置からなり、前記特別遊技は所定回数のラウンド遊技から構成されて、各ラウンド遊技中に前記入賞空間に流入した遊技球が、前記特別領域に通入した場合に、次のラウンド遊技に移行して特別遊技が継続するよう設定された遊技機において、
前記入賞装置は、
前記入賞空間に流入した遊技球を一時的に停留可能な停留部材と、
前記停留部材から放出された遊技球を、前記特別領域に向けて案内可能な第１位置または前記一般領域に向けて案内可能な第２位置に変位可能な可動部材と、
前記可動部材を前記第１位置および第２位置の間で変位させる駆動手段とを有し、
前記駆動手段は、前記各ラウンド遊技の終了までに遊技球が前記特別領域に通入しない場合は前記可動部材を前記第１位置に変位して前記停留部材から放出された遊技球を前記特別領域に向けて案内し、前記各ラウンド遊技の終了までに遊技球が前記特別領域に通入した場合は前記可動部材を前記第２位置に変位して前記停留部材から放出された遊技球を前記一般領域に向けて案内するよう構成する。
この構成によれば、特別遊技の各ラウンド遊技において、遊技球が特別領域に通入(イレギュラー入賞が発生)したときには、一般領域に向けて案内可能な第２位置に可動部材を変位したもとで停留部材の停留を解除するようにしたから、該特別領域への重複入賞を確実に防止することができる。従って、重複入賞が発生して遊技者が混乱等することはなく、遊技の興趣を低下させることはない。一方、各ラウンド遊技において、遊技球が特別領域に通入しない場合には、特別領域に向けて案内可能な第１位置に可動部材を変位したもとで停留部材の停留を解除するようにしたから、次のラウンド遊技に移行させて特別遊技を継続させることが可能となる。
【００９２】
また、本発明に係る遊技機に関しては、以下に示す別の具体的構成に限定することが可能である。
遊技球が通過し得る球入口と、前記球入口に連通し、該球入口を介して遊技球が流入する入賞空間と、前記球入口を開閉可能で、少なくとも遊技者に有利な特別遊技の発生時に該球入口を開放する開閉部材と、前記入賞空間内に設けられ、該入賞空間に流入した遊技球の通入を許容する特別領域および一般領域とを備えた入賞装置からなり、前記特別遊技は所定回数のラウンド遊技から構成されて、各ラウンド遊技中に前記入賞空間に流入した遊技球が、前記特別領域に通入した場合に、次のラウンド遊技に移行して特別遊技が継続するよう設定された遊技機において、
前記入賞装置は
前記入賞空間に流入した遊技球を一時的に停留し得ると共に、停留した遊技球を前記特別領域に向けて放出し得る停留部材と、
前記特別領域を備え、前記停留部材から放出された遊技球が該特別領域に通入し得る第１位置、または該一般領域に通入させる第２位置に変位可能な可動部材と、
前記可動部材を前記第１位置および第２位置の間で変位させる駆動手段とを有し、
前記駆動手段は、前記各ラウンド遊技中は常には前記可動部材を前記第１位置に位置させ、前記各ラウンド遊技の終了までに遊技球が前記特別領域に通入した場合は、該可動部材を前記第２位置に変位させるよう構成する。
この構成によれば特別遊技の各ラウンド遊技において、遊技球が特別領域に通入(イレギュラー入賞が発生)した場合には、特別領域を備える可動部材を、前記一般領域に遊技球が通入する第２位置に変位するようにしたから、該特別領域への重複入賞を確実に防止することができる。従って、重複入賞が発生して遊技者が混乱等することはなく、遊技の興趣を低下させることはない。一方、各ラウンド遊技において、遊技球が特別領域に通入しない場合には、特別領域を備える可動部材を遊技球が通入し得る第１位置に変位するようにしたから、次のラウンド遊技に移行させて特別遊技を継続させることが可能となる。
【図面の簡単な説明】
【００９３】
【図１】本発明の好適な実施例１に係るパチンコ機の入賞装置を横断して示す概略斜視図である。
【図２】実施例１に係るパチンコ機の遊技盤を示す正面図である。
【図３】実施例１に係る入賞装置を示す正面図である。
【図４】実施例１に係る入賞装置の要部を示す概略斜視図である。
【図５】実施例１に係る入賞装置の要部を縦断して示す側面図である。
【図６】実施例１に係る入賞装置に配設されるステージ部材を駆動機構と共に示す概略斜視図である。
【図７】実施例１に係る入賞装置に配設されるステージ部材を揺動機構と共に示す概略斜視図である。
【図８】実施例１に係る入賞装置の要部を、前面側に停止している第１ステージの第１の停留部材にパチンコ球が停留された状態で示す概略斜視図である。
【図９】実施例１に係る入賞装置の要部を、前面側に停止している第１ステージの第１の停留部材からパチンコ球が放出された状態で示す概略斜視図である。
【図１０】実施例１に係る入賞装置の要部を、前面側に停止している第２ステージの第２の停留部材にパチンコ球が停留された状態で示す概略斜視図である。
【図１１】実施例１に係る入賞装置の要部を、前面側に停止している第２ステージの第２の停留部材からパチンコ球が放出された状態で示す概略斜視図である。
【図１２】大当りが発生して第１ステージが選択された場合のラウンド遊技におけるステージ部材、第１の停留部材および振分け部材の動作態様を示すタイミングチャート図である。
【図１３】大当りが発生して第２ステージが選択された場合のラウンド遊技におけるステージ部材、第２の停留部材および振分け部材の動作態様を示すタイミングチャート図である。
【図１４】実施例２に係る入賞装置を一部破断して示す概略斜視図である。
【図１５】実施例２に係る入賞装置の正面図である。
【図１６】実施例２に係る入賞装置を主可動部材の配設位置で縦断し、該主可動部材を第２位置に変位すると共に、停留部材を停留位置に変位した状態で示す側面図である。
【図１７】実施例２に係る入賞装置を従可動部材の配設位置で縦断し、該主可動部材を第１位置に変位すると共に、停留部材を停留解除位置に変位した状態で示す側面図である。
【図１８】実施例２に係る入賞装置を従可動部材の配設位置で縦断し、該主可動部材を第２位置に変位すると共に、停留部材を停留解除位置に変位した状態で示す側面図である。
【図１９】実施例２に係る主可動部材を第２位置に移動した状態を示す入賞装置の横断平面図である。
【符号の説明】
【００９４】
１５  入賞口(球入口)
１６  開閉部材
１７  入賞空間
１８  特別領域
１９ｂ  第２の一般領域(一般領域)
３５  駆動機構(駆動手段)
３９  第１の停留部材(停留手段)
４１  第２の停留部材(停留手段)
４４  揺動機構(駆動手段)
Ｍ  入賞装置
Ｓ  パチンコ球(遊技球)
【図１】
2005131269.tif 000003
【図２】
2005131269.tif 000004
【図３】
2005131269.tif 000005
【図４】
2005131269.tif 000006
【図５】
2005131269.tif 000007
【図６】
2005131269.tif 000008
【図７】
2005131269.tif 000009
【図８】
2005131269.tif 000010
【図９】
2005131269.tif 000011
【図１０】
2005131269.tif 000012
【図１１】
2005131269.tif 000013
【図１２】
2005131269.tif 000014
【図１３】
2005131269.tif 000015
【図１４】
2005131269.tif 000016
【図１５】
2005131269.tif 000017
【図１６】
2005131269.tif 000018
【図１７】
2005131269.tif 000019
【図１８】
2005131269.tif 000020
【図１９】
2005131269.tif 000021